(57)【要約】  【課題】  適正なろ過材洗浄を行える浴水浄化装置を提供する。  【解決手段】  １日に１回程度、切替バルブＡ２６、切替バルブＢ２７、切替バルブＣ２９を切り換えて、循環ポンプ２０から切替バルブＣ２９を通り、切替バルブＡ２６を通過してヒータ２２を通り、ろ過タンク２１の逆側から浴水を導入し、切替バルブＢ２７から循環ポンプ２０へ戻る循環路を形成して浴水を逆方向に循環させてろ過タンク２１のろ過材を洗浄する。その際、塩素注入器１から塩素がろ過材洗浄に適した濃度まで浴水に注入され、またヒータ２２により５０℃以上に加熱される。【選択図】  図１
2005052526.tif 000002
【特許請求の範囲】
【請求項１】
浴槽の浴水を取り込み、循環経路を循環させて浄化した後に浴槽に戻す浴水浄化装置において、
ろ過材を備えたろ過装置と、
浴水を所定温度に加熱する加熱装置と、
前記ろ過材を洗浄するために塩素を循環経路中の浴水に注入可能な塩素注入装置と、
前記加熱装置により所定温度に加熱され、前記塩素注入装置により塩素を注入された浴水を前記ろ過材に通過させて該ろ過材を洗浄する装置と、
を備えたことを特徴とする浴水浄化装置。
【請求項２】
前記洗浄する装置による洗浄を定期的に行わせる制御装置を更に備えた、
請求項１の浴水浄化装置。
【発明の詳細な説明】
【技術分野】
【０００１】
この発明は、浴水浄化装置に関する。
【背景技術】
【０００２】
浴槽の浴水を循環させて取り込み、これを浄化し、場合によっては殺菌や加温などの処理を加えて、浴水に戻す浴水浄化装置が広く普及している。
浴水の浄化は、主としてろ過により行われているが、使用するに従ってろ過材自体が汚れてくる問題がある。
そのため、ろ過材を時々洗浄する必要が生ずるが、従来はろ過材の表面に水流を当てて汚れを洗い流すことや、或いは循環経路と逆の流れを形成してろ過材を洗浄する所謂逆流洗浄によりろ過材の洗浄を行っていた。
【発明の開示】
【発明が解決しようとする課題】
【０００３】
しかし、ろ過材に付着している汚れは主として人体の皮膚からの脱落成分、皮脂成分、汗などの体液が変化した成分、これらを栄養源として繁殖する細菌類などで構成されており、有機物を多く含んでいるため、上記した従来の洗浄方法では十分な洗浄が行えない問題があった。そのため、ろ過材の目詰まりを起こし、装置の流量低下、浴水の白濁などが生ずる問題があった。
本発明は上記従来技術の問題を解決することを目的とする。
【課題を解決するための手段】
【０００４】
上記目的を達成するために、本発明は、浴槽の浴水を取り込み、循環経路を循環させて浄化した後に浴槽に戻す浴水浄化装置において、ろ過材を備えたろ過装置と、浴水を所定温度に加熱する加熱装置と、前記ろ過材を洗浄するために塩素を循環経路中の浴水に注入可能な塩素注入装置と、前記加熱装置により所定温度に加熱され、前記塩素注入装置により塩素を注入された浴水を前記ろ過材に通過させて該ろ過材を洗浄する装置と、を備えたことを特徴とする。
上記構成により塩素が注入された所定温度の浴水によりろ過材を洗浄できるから、有機物で汚れたろ過材でも高い洗浄効率で洗浄できる。
該洗浄は、制御装置により定期的に行わせることが望ましい。
【発明の効果】
【０００５】
以上説明したように本発明の浴水浄化装置によれば、適正なろ過材の洗浄を行うことができる効果がある。
【発明を実施するための最良の形態】
【０００６】
以下本発明の実施の形態を図面に基づいて説明する。
図１において、循環ポンプ２０の稼働により浴槽Ｔの浴水は吸込口２４から浴水浄化装置Ｙに入水し、湯温センサ２８を経由して循環ポンプ２０を通って、更に切替バルブＢ２７を経由し、ろ過タンク２１においてろ過される。そして、ヒータ２２により所定温度まで加温され切替バルブＡ２６を通って、更に切替バルブＣ２９を通って、吐出口２５から浴槽Ｔに出水され、この循環を繰り返して浄化されるように構成されている。
ろ過タンク２１内には精密フィルタであるろ過材が装入されており、該ろ過材により浴水のろ過を行うようになっている。
【０００７】
切替バルブＡ２６から吐出口２５の間に塩素注入器１が設けられており、塩素流量計２と逆止弁５０を介して配管４０に接続している。
また配管４１には塩素濃度測定器３が設けられている。
【０００８】
図２にこの実施形態の制御装置の構成を示す。制御装置３０はマイクロコンピュータを主体に構成されており、浴水浄化装置Ｙ全体の制御を行っている。該制御装置３０には表示部３１と操作部３２が設けられており、操作部３２からユーザなどが種々の指令を入力する。表示部３１は様々な表示を行う。
【０００９】
制御装置３０は循環ポンプ２０の運転制御、切替バルブＡ２６と切替バルブＢ２７及び切替バルブＣ２９の開閉制御およびヒータ２２の加温制御を行うようになっている。また湯温センサ２８からの湯温情報を入力するように構成されている。
【００１０】
制御装置３０には塩素注入器ＯＮ／ＯＦＦ制御回路１０が接続し、この塩素注入器ＯＮ／ＯＦＦ制御回路１０により塩素注入器１のオンオフを行うようになっている。また、塩素注入器電源制御回路１１が制御装置３０には接続され、塩素注入器１の電源のオンオフを制御できるようになっている。
【００１１】
制御装置３０には前記塩素濃度測定器３からの塩素濃度情報が入力し、また塩素流量計２からの流量情報が入力するように構成されている。
【００１２】
制御装置３０は所定時間毎、例えば１日に１回程度ろ過タンク２１のろ過材の洗浄を行うように構成されている。
制御装置３０は切替バルブＡ２６、切替バルブＢ２７、切替バルブＣ２９を切り換えて、循環ポンプ２０から切替バルブＣ２９を通り、切替バルブＡ２６を通過してヒータ２２を通り、ろ過タンク２１の逆側から浴水を導入し、切替バルブＢ２７から循環ポンプ２０へ戻る循環路を形成し、浴水を逆方向に循環させて、ろ過タンク２１のろ過材を洗浄するようになっている。
【００１３】
その際、塩素注入器１から塩素がろ過材洗浄に適した濃度まで浴水に注入され、またヒータ２２により５０℃以上に加熱される。この塩素を含む高温の浴水により、ろ過材の洗浄が効率的に行われる。
一定時間逆方向に循環したら、図３に示すように切替バルブＢ２７を切り換えて、洗浄に用いた浴水を排出し、排出が終了したら、切替バルブＡ２６、切替バルブＢ２７、切替バルブＣ２９を元に戻して、通常の循環経路を形成する。
また、ヒータ２２による加温も通常の温度に戻し、塩素注入器１により塩素注入も通常のモードに戻す。
【００１４】
図４により動作を説明する。
制御装置３０から塩素注入器ＯＮ／ＯＦＦ制御回路１０に塩素注入指令が送られ、塩素注入器１から塩素の注入が開始され、塩素が塩素流量計２と逆止弁５０を介して配管４０に送られる。浴水は切替バルブＡ２６からヒータ２２、ろ過タンク２１、切替バルブＢ２７、循環ポンプ２０、切替バルブＣ２９を経て循環する（ステップＳ１）。
【００１５】
所定時間経過したら（ステップＳ２）、ヒータ２２がオンされ（ステップＳ３）、浴水が５５℃まで加温される（ステップＳ４）。そして、所定時間逆流洗浄を行い（ステップＳ５、Ｓ６）、洗浄を終了する。
【００１６】
以上説明したように上記実施形態では、定期的に塩素を含む高温の浴水によりろ過材の洗浄が行われるため、洗浄効率が高く、ろ過材の目詰まりなどを防止することができる。そのため、装置の流量低下、浴水の白濁などが生じない等の効果がある。
なお上記実施の形態では塩素注入器で注入するものを示したが、電解槽で生成した電解塩素を含む電解水を注入するものでもよい。また閉回路としてから、塩素を注入し、温度を昇温するものを示したが、通常循環中の管路に塩素を注入して浴槽の浴水に吐出して、浴水全体及び循環路を殺菌して、その後塩素の混入した浴水による閉回路を昇温して循環して洗浄するようにしてもよい。
【図面の簡単な説明】
【００１７】
【図１】本発明の一実施形態を示す概略図。
【図２】本発明の一実施形態の制御装置を示すブロック図。
【図３】本発明の一実施形態の排水時の状態を示す概略図。
【図４】本発明の一実施形態の動作を示すフローチャート図。
【符号の説明】
【００１８】
１：塩素注入器、２：塩素流量計、３：塩素濃度測定器、１０：塩素注入器ＯＮ／ＯＦＦ制御回路、１１：塩素注入器電源制御回路、２０：循環ポンプ、２１：ろ過タンク、２２：ヒータ、２４：吸込口、２５：吐出口、２６：切替バルブＡ、２７：切替バルブＢ、２８：湯温センサ、２９：切替バルブＣ、３０：制御装置、３１：表示部、３２：操作部、４０：配管、４１：配管、５０：逆止弁。
【図１】
2005052526.tif 000003
【図２】
2005052526.tif 000004
【図３】
2005052526.tif 000005
【図４】
2005052526.tif 000006